(57)【要約】【課題】情報の記録に要する時間を短縮し、かつ誤った情報を登録する虞を低減することが可能な情報記録装置を実現する。【解決手段】携帯情報端末（１）は、上記スケジュール情報に含まれる複数の情報のうち、１つ以上の情報を必須情報として、記録が完了してから、所定時間経過後、既に記録された上記必須情報の適否をユーザに確認するとともに、上記必須情報以外の情報の入力を上記ユーザに促す情報確認処理を実行する情報確認部（１２）を備える。【選択図】図１
2018081647.tif 000002
【特許請求の範囲】
【請求項１】
複数の情報を含むスケジュール情報を記録する情報記録装置であって、
上記スケジュール情報に含まれる複数の情報のうち、１つ以上の情報を必須情報として記録が完了してから、所定時間経過後、既に記録された上記必須情報の適否をユーザに確認するとともに、上記スケジュール情報に含まれる複数の情報のうち、既に記録された上記必須情報以外の情報の入力を上記ユーザに促す情報確認処理を実行する情報確認部を備えることを特徴とする情報記録装置。
【請求項２】
上記ユーザが発する音声を文字情報として認識する音声認識部をさらに備え、
上記音声認識部により認識された文字情報に基づいて上記スケジュール情報を記録することを特徴とする請求項１に記載の情報記録装置。
【請求項３】
上記情報確認部が上記情報確認処理を実行する際に、上記ユーザに対して情報の入力を促す音声を出力する音声出力部をさらに備えることを特徴とする請求項１または２に記載の情報記録装置。
【請求項４】
周囲の他者を検出する人物検出部をさらに備え、
上記情報確認部は、上記人物検出部が上記他者を検出しなかった場合に上記情報確認処理を実行することを特徴とする請求項１から３のいずれか１項に記載の情報記録装置。
【請求項５】
複数の情報を含むスケジュール情報を記録する情報記録方法であって、
上記スケジュール情報に含まれる複数の情報のうち、１つ以上の情報を必須情報として記録する記録ステップと、
上記記録ステップにおいて上記必須情報の記録が完了してから、所定時間経過後、記録済みの上記必須情報の適否をユーザに確認するとともに、上記スケジュール情報に含まれる複数の情報のうち、記録済みの上記必須情報以外の情報の入力を上記ユーザに促す情報確認ステップを含むことを特徴とする情報記録方法。
【請求項６】
請求項１に記載の情報記録装置としてコンピュータを機能させるためのプログラムであって、上記情報確認部としてコンピュータを機能させるためのプログラム。
【請求項７】
請求項６に記載のプログラムを記録したコンピュータ読み取り可能な記録媒体。
【発明の詳細な説明】
【技術分野】
【０００１】
以下の開示は、所定の情報を記録する情報記録装置、情報記録方法、プログラム、およびコンピュータ読み取り可能な記録媒体に関する。
【背景技術】
【０００２】
情報を記録する装置の例として、特許文献１には、車両に搭乗しているユーザが発声した単語を認識して文字列として記録し、メモ情報としてユーザに提示する車載用音声メモ装置が開示されている。メモ情報の例としては、単なるメモの他、スケジュールなどのメモが挙げられている。
【先行技術文献】
【特許文献】
【０００３】
【特許文献１】特開平９−３３００９６号公報（１９９７年１２月２２日公開）
【発明の概要】
【発明が解決しようとする課題】
【０００４】
しかしながら、特許文献１の車載用音声メモ装置では、詳細な情報のメモを作成する場合にはその場で入力すべき情報量が増大し、その分長い時間を要するという問題がある。また、車両の運転中に、音声に基づいてメモを作成するため、車両が発する雑音などによって音声認識に誤りが生じ、誤ったメモが作成される虞がある。
【０００５】
本発明の一態様は、上記の問題に鑑み、情報の記録に要する時間を短縮し、かつ誤った情報を登録する虞を低減することが可能な情報記録装置などを実現することを目的とする。
【課題を解決するための手段】
【０００６】
上記の課題を解決するために、本発明の一態様に係る情報記録装置は、複数の情報を含むスケジュール情報を記録する情報記録装置であって、上記スケジュール情報に含まれる複数の情報のうち、１つ以上の情報を必須情報として、記録が完了してから、所定時間経過後、既に記録された上記必須情報の適否をユーザに確認するとともに、上記スケジュール情報に含まれる複数の情報のうち、既に記録された上記必須情報以外の情報の入力を上記ユーザに促す情報確認処理を実行する情報確認部を備える。
【０００７】
また、本発明の一態様に係る情報記録方法は、複数の情報を含むスケジュール情報を記録する情報記録方法であって、上記スケジュール情報に含まれる複数の情報のうち、１つ以上の情報を必須情報として記録する記録ステップと、上記記録ステップにおいて上記必須情報の記録が完了してから、所定時間経過後、記録済みの上記必須情報の適否をユーザに確認するとともに、上記スケジュール情報に含まれる複数の情報のうち、記録済みの上記必須情報以外の情報の入力を上記ユーザに促す情報確認ステップを含む。
【発明の効果】
【０００８】
本発明の一態様に係る情報記録装置または情報記録方法によれば、情報の記録に要する時間を短縮し、かつ誤った情報を登録する虞を低減することが可能な情報記録装置などを実現することができる。
【図面の簡単な説明】
【０００９】
【図１】本発明の実施形態１の携帯情報端末の構成を示すブロック図である。
【図２】本発明の実施形態１の携帯情報端末における処理の流れを示すフローチャートである。
【図３】図２、図５のフローチャートにおける情報確認処理の詳細を示すフローチャートである。
【図４】本発明の実施形態２の携帯情報端末の構成を示すブロック図である。
【図５】本発明の実施形態２の携帯情報端末における処理の流れを示すフローチャートである。
【図６】本発明の実施形態３の情報処理装置の構成を示すブロック図である。
【図７】本発明の実施形態４の情報処理装置の構成を示すブロック図である。
【発明を実施するための形態】
【００１０】
〔実施形態１〕
以下、本発明の実施の形態について、図１〜図３を用いて説明する。
【００１１】
（携帯情報端末１の概要）
図１は、本実施形態の携帯情報端末１（情報記録装置）の構成を示すブロック図である。図１に示すように、携帯情報端末１は、制御部１０、マイク２０、スピーカ３０（音声出力部）、記憶部４０、およびタイマー５０を備える。
【００１２】
制御部１０は、携帯情報端末１が備える各部の動作を統括的に制御する。制御部１０の具体的な構成については後述する。
【００１３】
マイク２０は、携帯情報端末１への音声の入力を受け付ける。マイク２０は、携帯情報端末１に対してユーザが情報を入力するための入力装置として機能する。スピーカ３０は音声を出力する。スピーカ３０は、ユーザに対して情報の入力を促す音声を出力する。
【００１４】
記憶部４０は、携帯情報端末１の制御に必要な情報を記録する記憶装置である。例えば記憶部４０は、制御部１０が携帯情報端末１を制御するためのプログラム、スピーカ３０から発せられる音声のデータなどを記録している。また、記憶部４０は、後述するスケジュール（ユーザの予定を示す情報）を記録する。
【００１５】
タイマー５０は、所定の基準時刻からの経過時間を計測する。具体的には、タイマー５０は、所定の基準時刻からの経過時間を示す値を制御部１０に出力する。
【００１６】
携帯情報端末１は、所定の複数の情報を記録する。本実施形態では、所定の複数の情報は、スケジュールである。すなわち、携帯情報端末１は、複数の情報を含むスケジュール情報を記録する。本実施形態では、スケジュール情報は以下の項目についての情報を含む。
・スケジュール内容
・日時（スケジュールを実行する日時）
・場所（スケジュールを実行する場所）
・リマインダー通知日時
なお、携帯情報端末１が記録するスケジュール情報は、これらの項目すべてについての情報を含む必要はなく、またこれらの項目以外の項目についての情報を含んでもよい。さらに、携帯情報端末１は、スケジュール情報に限らず、任意の複数の情報を記録してよい。
【００１７】
本実施形態の携帯情報端末１は、スケジュール情報に含まれる複数の情報のうち、１つ以上の情報を必須情報とする。必須情報とは、初期段階で入力すべき必須の情報である。必須情報は例えば、スケジュール内容および場所のいずれか、または両方であってよい。または、必須情報はスケジュール内容および場所のいずれとも異なる情報であってもよい。また、必須情報以外の情報については、必須情報を入力した後で入力してもよい情報とする。
【００１８】
携帯情報端末１の具体例としては、スマートフォンが挙げられる。携帯情報端末１がスマートフォンである場合には、携帯情報端末１は、図１に示した各部に加えて、スマートフォンとしての機能を実現するための、情報の送受信を行う通信部、およびタッチ操作を受け付けるためのタッチパネルなどを備える。
【００１９】
また、上述した通り、携帯情報端末１は、マイク２０、スピーカ３０、記憶部４０およびタイマー５０を備える。しかし、携帯情報端末１自体が必ずしもこれらを備える必要はない。例えば携帯情報端末１は、マイク２０、スピーカ３０、記憶部４０およびタイマー５０を備えず、マイク２０、スピーカ３０、記憶部４０またはタイマー５０として機能する装置のそれぞれと有線または無線により通信可能に構成されていてもよい。
【００２０】
（制御部１０の構成）
次に、制御部１０の構成について説明する。図１に示すように、制御部１０は、音声認識部１１、情報確認部１２、および開始確認部１３を備える。
【００２１】
音声認識部１１は、マイク２０から入力される音声、すなわちユーザが発する音声を文字情報として認識する。携帯情報端末１は、音声認識部１１により認識された文字情報に基づいてスケジュールの各項目の情報を記録する。音声を文字情報として認識する技術は公知であるため、ここでは説明を省略する。
【００２２】
情報確認部１２は、記憶部４０に一時的に記録された情報の確認、修正および追加を行う情報確認処理を実行する。情報確認部１２は、一時的に記録されたスケジュールを記憶部４０から読み出す。そして、読み出したスケジュールに含まれる項目のそれぞれについて、情報の確認、修正および追加を行う。情報確認処理の具体的な内容については、図３を参照して後述する。
【００２３】
開始確認部１３は、情報確認部１２による情報確認処理の実行を開始するか否かをユーザに確認する。具体的には開始確認部１３は、所定の基準時刻からの経過時間を示す値をタイマー５０から取得し、取得した値が所定の値以上である場合に、基準時刻から所定の時間が経過したと判定し、ユーザに対して情報確認処理を開始するか否かを確認する音声を発する。
【００２４】
また、開始確認部１３は、上記音声に対するユーザの応答が承諾であるか否かを判定する。具体的には、開始確認部１３は、ユーザの応答を示す音声の文字情報が、承諾の意を示す文字情報を含んでいるか否かを判定する。承諾の意を示す文字情報については、予め記憶部４０に記録されていればよい。ユーザの応答が承諾である場合には、開始確認部１３は情報確認処理を開始するための信号を情報確認部１２に送信する。
【００２５】
制御部１０は、上述した各部の他、スケジュールの少なくとも１つの項目の情報について、マイク２０から入力された音声に基づいて一時的に記憶部４０に記録させる一時記録部を備える。一時記録部は、図１、および後述する図４、図６、図７においては省略されている。
【００２６】
（処理の流れ）
図２は、携帯情報端末１における処理の流れを示すフローチャートである。図２を参照して、携帯情報端末１による情報記録方法について説明する。
【００２７】
まず、一時記録部は、ユーザのスケジュールを一時的に記憶部４０に記録させる（Ｓ１、記録ステップ）。一時記録部は、例えば携帯情報端末１を用いてユーザと他者とが通話した場合に、上述した項目のうち少なくとも１つの情報を通話内容に基づいて記録するものであってよい。ステップＳ１の終了時点では、上記スケジュールは不完全なものである。ここでいう不完全とは、上記スケジュールが少なくとも１つの項目について情報が記録されていないか、または誤りを含んでいる可能性があることを意味する。
【００２８】
次に、開始確認部１３は、基準となる時刻から所定の時間Ｔ１が経過しているか判定する（Ｓ２）。基準となる時刻は、例えばステップＳ１におけるスケジュールの一時的な記録が完了した時刻ｔ１である。所定の時間Ｔ１が経過していない場合（Ｓ２でＮｏ）、開始確認部１３はステップＳ２の処理を繰り返す。
【００２９】
基準となる時刻ｔ１から所定の時間Ｔ１が経過している場合（Ｓ２でＹｅｓ）、開始確認部１３は、情報確認処理を開始するか否かを確認する音声をスピーカ３０から発する（Ｓ３）。さらに開始確認部１３は、マイク２０から入力されたユーザの回答が承諾であるか否かを判定する（Ｓ４）。
【００３０】
ユーザの回答が承諾ではない場合（Ｓ４でＮｏ）、開始確認部１３は再度ステップＳ２の処理を実行する。この場合、ステップＳ２における基準となる時刻は、例えばステップＳ３の後、ユーザの回答が入力された時刻ｔ２としてよい。また、開始確認部１３が判定に用いる所定の時間は、上記のＴ１と同じであってもよく、上記のＴ１とは異なる時間Ｔ２であってもよい。
【００３１】
ユーザの回答が承諾である場合（Ｓ４でＹｅｓ）、開始確認部１３は、情報確認処理を開始する信号を情報確認部１２に送信する。情報確認部１２は、開始確認部１３から上記信号を受信すると、情報確認処理を実行する（Ｓ５、情報確認ステップ）。
【００３２】
なお、所定の時間Ｔ１、Ｔ２は、基準となる時刻ｔ１、ｔ２からスケジュールのリマインダー通知日時よりも短く設定されているのが好ましい。つまり、基準となる時刻ｔ１、ｔ２からリマインダー通知日時までの時間が、所定の時間Ｔ１、Ｔ２よりも短ければ、この時点でスケジュールのリマインダーを自動的に実行する。また、スケジュールのリマインダー通知日時がまだ入力されていない状態であれば、リマインダー通知日時の代わりに、既に入力されたスケジュールの日時と比較してもよい。
【００３３】
（情報確認処理）
図３は、情報確認部１２が実行する情報確認処理の具体的な流れを示すフローチャートである。つまり、情報確認処理では、複数の情報を含むスケジュール情報のうち、必須情報の記録が完了した時点から、所定時間経過後、既に記録された上記必須情報の適否をユーザに確認するとともに、上記スケジュール情報に含まれる複数の情報のうち、既に記録された上記必須情報以外の情報の入力を上記ユーザに促す。
【００３４】
具体的には、最初に情報確認部１２は、記憶部４０に記録されているスケジュールを読み出す（Ｓ５１）。情報確認部１２は、読み出したスケジュールのうち、１つの項目を情報の確認、修正または追加する対象とする項目（対象項目）とし、当該対象項目について、情報が記録されているか否か判定する（Ｓ５２）。なお、スケジュールに含まれる複数の項目について、どのような順で対象項目とするかについては、携帯情報端末１の製造者またはユーザによって予め決定され、記憶部４０に記録されていればよい。
【００３５】
対象項目の情報が記録されていない場合（Ｓ５２でＮｏ）、情報確認部１２は当該情報の入力を促す音声を生成し、スピーカ３０から発する（Ｓ５３）。ユーザからの回答を示す音声がマイク２０に入力されると、音声認識部１１は当該音声を文字情報として認識し、情報確認部１２に送信する（Ｓ５４）。情報確認部１２は、音声認識部１１から受信した文字情報から対象項目の情報として記録する情報を取得し、当該情報の適否をユーザに確認するための音声を生成する。情報確認部１２は、生成した音声をスピーカ３０から発し、上記情報の適否についてのユーザの応答を受け付ける（Ｓ５５）。
【００３６】
一方、対象項目について情報が記録されている場合（Ｓ５２でＹｅｓ）、情報確認部１２は当該情報の適否を確認する音声を生成してスピーカ３０から発し、ユーザの応答を受け付ける（Ｓ５５）。
【００３７】
情報確認部１２は、ステップＳ５５で発した音声に対するユーザの応答が肯定であるか否かを判定する（Ｓ５６）。具体的には、情報確認部１２は、ユーザの応答を示す音声について音声認識部１１が認識した文字情報が、肯定の意を示す文字情報を含んでいるか否か判定する。
【００３８】
ユーザの応答が肯定でない場合（Ｓ５６でＮｏ）、情報確認部１２は再度ステップＳ５３からの処理を実行する。なお、ユーザの応答が、新たに記録されるべき情報を含んでいる場合には、情報確認部１２はステップＳ５３およびＳ５４をスキップし、当該情報に基づいてステップＳ５５の処理を実行してもよい。
【００３９】
一方、ユーザの応答が肯定である場合（Ｓ５６でＹｅｓ）、情報確認部１２はステップＳ５４において入力された情報を対象項目の情報として記録する（Ｓ５７）。ただし、一時的に記録された情報に対してユーザが肯定の応答をした場合には、既に記録されている情報を変更する必要はないため、ステップＳ５７をスキップしてよい。
【００４０】
その後、情報確認部１２は、スケジュールの項目について、他に対象項目とすべき項目が存在するか判定する（Ｓ５８）。他に対象項目とすべき項目が存在する場合（Ｓ５８でＹｅｓ）、情報確認部１２は他の対象項目についてステップＳ５２から処理を実行する。他に対象項目とすべき項目が存在しない場合（Ｓ５８でＮｏ）、情報確認部１２は情報確認処理を終了する。
【００４１】
（第１の具体例、一部の項目が未登録の場合）
携帯情報端末１における情報確認処理の、第１の具体例を以下に説明する。第１の具体例では、上述したステップＳ１において、一時記録部は、スケジュールの各項目について以下の情報を一時的に記憶部４０に記録したものとする。
・スケジュール内容：野球観戦
・日時：未登録
・場所：マツダスタジアム
・リマインダー通知日時：未登録。
【００４２】
上記のスケジュールについての、情報確認処理の一例は以下のようになる。なお、以下の例では、上記スケジュールの項目について、上記の順番で対象項目とする。
【００４３】
最初に、スケジュール内容が対象項目となる。スケジュール内容は既に「野球観戦」と登録されているため、情報確認部１２は、登録されているスケジュール内容を確認する音声（例えば「スケジュール内容は野球観戦だね？」）を生成し、スピーカ３０により発話する。ユーザが肯定的な応答（例えば「はい」）をすると、情報確認部１２はスケジュール内容の情報を変更しない。
【００４４】
次に、日時が対象項目となる。日時はまだ登録されていないため、情報確認部１２は、日時の登録を促す音声（例えば「日時はいつ？」）を発話する。ユーザが日時を応答（例えば「９月１４日の１８時です」）すると、音声認識部１１が当該音声を文字情報として認識する。情報確認部１２は、上記文字情報に基づいて、ユーザの応答により登録される情報を確認するための音声（例えば「９月１４日の１８時だね？」）を生成し、スピーカ３０により発話する。ユーザが肯定的な応答（例えば「はい」）をした場合、情報確認部１２は当該日時を記憶部４０に保存する。
【００４５】
次に、場所が対象項目となる。場所は既に「マツダスタジアム」と登録されているため、情報確認部１２は、場所を確認する音声（例えば「場所はマツダスタジアムだね？」）を生成し、スピーカ３０により発話する。ユーザが肯定的な応答（例えば「ＹＥＳ」）をすると、情報確認部１２は場所の情報を変更しない。
【００４６】
最後に、リマインダー通知日時が対象項目となる。リマインダー通知日時はまだ登録されていないため、情報確認部１２は、リマインダー通知日時の登録を促す音声（例えば「リマインダー通知はいつにする？」）を発話する。ユーザがリマインダー通知日時を応答（例えば「９月１３日の１０時にして」）すると、音声認識部１１が当該音声を文字情報として認識する。情報確認部１２は、上記文字情報に基づいて、ユーザの応答により登録される情報を確認するための音声（例えば「９月１３日の１０時だね？」）を生成し、スピーカ３０により発話する。ユーザが肯定的な応答（例えば「はい」）をした場合、情報確認部１２は当該リマインダー通知日時を記憶部４０に保存する。
【００４７】
以上でスケジュールに含まれるすべての項目について、確認、修正または追加が終了する。
【００４８】
（第２の具体例、全ての項目が登録済みの場合）
携帯情報端末１における処理の第２の具体例を以下に説明する。第２の具体例では、上述したステップＳ１において、一時記録部は、スケジュールの各項目について以下の情報を一時的に記憶部４０に記録したものとする。
・スケジュール内容：野球観戦
・日時：９月１３日１８時
・場所：マツダスタジアム
・リマインダー通知日時：９月１３日１０時。
【００４９】
この場合、情報確認処理の一例は以下のようになる。なお、以下の例では、第１の具体例と同様、上記スケジュールの項目について、上記の順番で修正または追加の対象項目とする。ただし、スケジュール内容および場所については第１の具体例と同じであるため、説明を省略する。
【００５０】
本具体例では、第１の具体例とは異なり、日時の情報が既に「９月１３日１８時」と登録されている。そこで、日時が対象項目となった場合、情報確認部１２は、日時を確認する音声（例えば「日時は９月１３日１８時だね？」）を発話する。
【００５１】
ここで、記録されている日時の情報が誤りであり、正しい日時は９月１４日の１８時である場合、ユーザが正しい日時を応答（例えば「いいえ。９月１４日の１８時です」）すると、音声認識部１１が当該音声を文字情報として認識する。情報確認部１２は、上記文字情報に含まれている、現在記録されている日時の情報とは異なる日時の情報に基づいて、上書き保存する情報を確認するための音声（例えば「９月１４日の１８時だね？」）を生成し、スピーカ３０により発話する。ユーザが肯定的な応答（例えば「はい」）をした場合、日時の情報が上書き保存される。
【００５２】
また、本具体例では、リマインダー通知日時の情報が既に「９月１３日１０時」と登録されている。そこで、リマインダー通知日時が対象項目となった場合、情報確認部１２は、リマインダー通知日時を確認する音声（例えば「リマインダー通知日時は９月１３日の１０時だね？」）を生成し、スピーカ３０により発話する。ここで、ユーザがリマインダー通知日時を９月１４日の１２時に変更したい場合、ユーザが希望する日時を応答（例えば「９月１４日の１２時に変更して」）すると、音声認識部１１が当該音声を文字情報として認識する。情報確認部１２は、上記文字情報に含まれている、現在記録されている日時の情報とは異なる日時の情報に基づいて、上書き保存する情報を確認するための音声（例えば「９月１４日の１２時だね？」）を生成し、スピーカ３０により発話する。ユーザが肯定的な応答（例えば「はい」）をした場合、リマインダー通知日時の情報が上書き保存される。
【００５３】
なお、本具体例では、携帯情報端末１に記録されている情報を修正する場合において、ユーザは情報の適否を問う音声に対して新たに記録すべき情報を応答している。しかし、ユーザは情報の適否を問う音声に対しては、単に否定的な応答（例えば単に「いいえ」との応答）のみしてもよい。この場合、情報確認部１２は、図３に示されているフローチャートの通り、一時的に記録されている情報が存在しない場合と同様に、ユーザに対して情報の入力を促す音声を発すればよい。
【００５４】
なお、肯定的な応答を示す文字情報は、上述した例に示す「はい」または「ＹＥＳ」に限定されず、例えば「そうだよ」または「合ってる」などでもよい。肯定的な応答を示す文字情報について、予めリストが作成され、記憶部４０に記憶されていればよい。
【００５５】
また、肯定的な応答を示す文字情報に加えて、否定的な応答を示す文字情報についても、予めリストが作成され、記憶部４０に記憶されていてもよい。この場合、例えば、ステップＳ４またはＳ５６においてユーザの応答が否定的な応答を示す文字情報を含む場合にはそれぞれのステップにおけるＮｏの場合の処理を実行すればよい。また、ユーザの応答が、肯定的な応答を示す文字情報または否定的な応答を示す文字情報の、いずれのリストに含まれる文字情報も含まない場合には、再度ユーザの応答を促す音声を発してもよい。
【００５６】
また、スケジュール情報に含まれる複数の情報のうち、スケジュール内容および場所は、上述した具体例のいずれにおいても情報確認処理の開始前に携帯情報端末１に記録されていた。しかし、情報確認処理の開始前には、携帯情報端末１には１つ以上の情報が必須情報として記録されていればよい。したがって、必須情報は、スケジュール内容および場所のいずれか一方だけでもよく、スケジュール内容および場所のいずれとも異なる情報であってもよい。また、情報確認処理の開始前に、必須情報以外の情報が記録されていてもよい。
【００５７】
（携帯情報端末１の効果）
携帯情報端末１は、スケジュールの各項目の情報のうち、ユーザにより入力された情報を一時的に記録する。携帯情報端末１は、一時的に記録した上記情報の適否をユーザに確認するとともに、スケジュールの項目の情報のうち、一時的に記録した情報に含まれていない情報の入力をユーザに促す情報確認処理を実行する情報確認部１２を備える。
【００５８】
したがって、情報を一時的に記録するときに当該情報の記録に要する時間を短縮することができる。また、後から必要な情報を追加することができるとともに、一時的に記録した情報が誤っていた場合に当該情報を修正することができる。
【００５９】
また、携帯情報端末１は、音声認識部１１を備え、音声認識部１１により認識された文字情報に基づいてスケジュールの各項目の情報を記録する。このため、ユーザは携帯情報端末１に対して音声によって情報を入力することができる。さらに、携帯情報端末１は、スピーカ３０を備えているため、スピーカ３０から出力された音声に基づいて、情報の適否の確認、修正および追加を行うことができる。特に携帯情報端末１は、音声認識部１１およびスピーカ３０の両方を備えるため、携帯情報端末１と対話する形式で情報の適否の確認、修正および追加を行うことができる。
【００６０】
また、携帯情報端末１は、開始確認部１３により、ユーザに対して情報確認処理を開始するか否かの確認を行う。このため、携帯情報端末１は、例えばユーザが別の作業中である場合など、情報確認処理を開始することにユーザの側で不都合がある場合には情報確認処理を開始せず、ユーザの手が空いているときに情報確認処理を開始することができる。
【００６１】
また、携帯情報端末１は、スマートフォンなどの、ユーザが携帯可能な端末である。このため、ユーザは携帯情報端末１を、屋内、屋外、車内など、様々な場面で使用することができる。
【００６２】
（変形例）
上述した携帯情報端末１は、開始確認部１３を備え、ステップＳ３およびＳ４により情報確認処理を開始するか否かの確認を行う。しかし、ユーザによる携帯情報端末１の使用態様によっては、上記の確認が不要である場合も考えられる。その場合には、携帯情報端末１は、開始確認部１３を備えず、ステップＳ３およびＳ４を省略してもよい。
【００６３】
また、上述した携帯情報端末１は基準となる時刻からの経過時間を計測するタイマー５０を備え、開始確認部１３は、基準となる時刻から所定の時間が経過した場合にユーザに対する上記の確認を行う。しかし、携帯情報端末１が備えるタイマー５０は、例えば現在時刻を計測する時計であってもよい。この場合、開始確認部１３は、例えばユーザによりあらかじめ設定された任意の時刻に、ユーザに対する上記の確認を行ってよい。
【００６４】
〔実施形態２〕
本発明の他の実施形態について、図４および図５に基づいて説明すれば、以下のとおりである。なお、説明の便宜上、前記実施形態にて説明した部材と同じ機能を有する部材については、同じ符号を付記し、その説明を省略する。
【００６５】
図４は、本実施形態に係る携帯情報端末２（情報記録装置）の構成を示すブロック図である。携帯情報端末２は、以下の点で携帯情報端末１と相違する。
・制御部１０の代わりに制御部１０Ａを備える。
・環境センサ６０（人物検出部）を備える。
また、制御部１０Ａは、環境判定部１４を備える点で制御部１０と相違する。
【００６６】
環境センサ６０は、携帯情報端末２の周囲の他者を検出する。他者とは携帯情報端末２のユーザ以外の人物を意味する。環境センサ６０は、例えば携帯情報端末２の周囲の画像を取得するカメラ、または携帯情報端末２の周囲の熱を検出する熱センサであってよい。
【００６７】
環境判定部１４は、環境センサ６０の出力に基づいて携帯情報端末２の周囲の環境に他者が存在するか否かの判定を行う。例えば環境センサ６０がカメラである場合には、環境判定部１４は画像認識処理により、携帯情報端末２の周囲の画像に他者の画像が含まれているか否かを判定する。また例えば環境センサ６０が熱センサである場合には、環境判定部１４は携帯情報端末２の周囲に他者が発する熱が存在するか否かの判定を行う。
【００６８】
図５は、携帯情報端末２における処理の流れを示すフローチャートである。図５に示すフローチャートは、ステップＳ２とステップＳ３との間にステップＳ６が実行される点において、図２に示したフローチャートと相違する。
【００６９】
携帯情報端末２においては、基準となる時刻から所定の時間が経過している場合（Ｓ２でＹｅｓ）、環境判定部１４が携帯情報端末２の周囲の環境に他者が存在するか否かの判定を行う（Ｓ６）。携帯情報端末２の周囲に他者が存在する場合（Ｓ６でＹｅｓ）、環境判定部１４はステップＳ６の処理を繰り返す。携帯情報端末２の周囲に他者が存在しない場合（Ｓ６でＮｏ）、制御部１０ＡはステップＳ３以降の処理を実行する。なお、ステップＳ６でＹｅｓの場合、環境判定部１４がステップＳ６の処理を繰り返すのではなく、開始確認部１３がＳ２の処理を再度実行してもよい。
【００７０】
（携帯情報端末２の効果）
携帯情報端末２は、実施形態１において説明した携帯情報端末１の効果に加えて、さらに以下の効果を奏する。
【００７１】
携帯情報端末２の周囲の環境に他者が存在する場合、当該環境下で携帯情報端末２が情報確認処理を実行することにより、以下の問題が生じる虞がある。
・携帯情報端末２またはユーザが発する音声が当該他者に不快感を与える。
・他者に漏洩することが好ましくないスケジュールが漏洩する。
【００７２】
そこで携帯情報端末２は、携帯情報端末２の周囲の他者を環境センサ６０により検出し、環境センサ６０が他者を検出しなかった場合に情報確認処理を実行する。したがって、情報確認処理によって他者に不快感を与える虞、および他者にスケジュールが漏洩する虞が低減される。
【００７３】
〔実施形態３〕
本発明の他の実施形態について、図６に基づいて説明すれば、以下のとおりである。
【００７４】
図６は、本実施形態に係る情報処理装置３（情報記録装置）の構成を示すブロック図である。情報処理装置３は、携帯情報端末１などと異なり、所定の場所に設置される装置である。情報処理装置３は、例えばパソコンであってよい。情報処理装置３は、携帯情報端末１と同様の処理を実行する。
【００７５】
このような、所定の場所に設置された情報処理装置３によっても、携帯情報端末１と同様に、スケジュールに含まれる各項目など、一時的に記録した情報について、確認、修正および追加を行うことができる。この場合、一時的に記録した情報は、例えば情報処理装置３の通話アプリを用いた他者との通話の中で生じたスケジュールの、上記各項目の情報であってよい。
【００７６】
なお、例えば情報処理装置３がユーザの自室に設置されたパソコンである場合などには、実施形態２において説明した、スケジュールの確認を行う場合に考慮すべき他者が情報処理装置３の周囲に存在する可能性は低い。このため、上述した情報処理装置３は、実施形態２で説明した環境センサ６０を備えていない。ただし、情報処理装置３は環境センサ６０を備えていてもよい。
【００７７】
〔実施形態４〕
本発明の他の実施形態について、図７に基づいて説明すれば、以下のとおりである。
【００７８】
図７は、本実施形態に係る情報処理装置４（情報記録装置）の構成を示すブロック図である。情報処理装置４は、以下の点で情報処理装置３と相違する。
・制御部１０の代わりに制御部１０Ｂを備える。
・マイク２０の代わりにキーボード２０Ｂを備える。
・スピーカ３０の代わりにディスプレイ３０Ｂを備える。
制御部１０Ｂは、音声認識部１１（図１など参照）を備えていない点で制御部１０と相違する。
【００７９】
キーボード２０Ｂは、キー操作により情報処理装置４に情報を入力するための入力装置である。ディスプレイ３０Ｂは、ユーザに対して画像により情報を出力するための出力装置である。
【００８０】
また、本実施形態の情報処理装置４はマイク２０を備えていないため、ユーザから音声による情報の入力を受け付けることはない。このため、制御部１０Ｂにおいては、制御部１０が備えていた音声認識部１１が省略されている。
【００８１】
情報処理装置４においては、図２に示した処理と同様の処理が行われる。ただし、ステップＳ３において、開始確認部１３は、情報確認処理を開始するか否かを確認するメッセージをディスプレイ３０Ｂに表示する。また、情報確認部１２および開始確認部１３は、ユーザの回答を受け付けるステップにおいて、キーボード２０Ｂを用いたキー入力によるユーザの回答を受け付ける。
【００８２】
情報処理装置４は、ユーザからの入力を受け付ける入力装置として、マイク２０の代わりにキーボード２０Ｂを備える。また、情報処理装置４は、ユーザに対して情報を出力する出力装置として、スピーカ３０の代わりにディスプレイ３０Ｂを備える。このような情報処理装置４も、携帯情報端末１と同様の効果を奏する。
【００８３】
なお、情報処理装置４は、キーボード２０Ｂの代わりにタッチパネルまたはマウスといった入力装置を備えていてもよい。また、情報処理装置４は、入力装置または出力装置を２以上備えていてもよい。例えば情報処理装置４は、入力装置としてマイク２０およびキーボード２０Ｂを備え、出力装置としてスピーカ３０およびディスプレイ３０Ｂを備えていてよい。情報処理装置４が入力装置または出力装置を複数備える場合に、制御部１０Ｂがいずれの入力装置から情報の入力を受け付け、いずれの出力装置から情報を出力するかは、情報処理装置４の製造者またはユーザが適宜設定してよい。さらに、情報処理装置４ではなく、例えば実施形態１で説明した携帯情報端末１と同様の携帯情報端末が、マイク２０およびスピーカ３０以外の入力装置および出力装置を備えていてもよい。
【００８４】
〔ソフトウェアによる実現例〕
携帯情報端末１、２、および情報処理装置３、４の制御ブロック（特に制御部１０、１０Ａおよび１０Ｂ）は、集積回路（ＩＣチップ）等に形成された論理回路（ハードウェア）によって実現してもよいし、ＣＰＵ（Central Processing Unit）を用いてソフトウェアによって実現してもよい。
【００８５】
後者の場合、携帯情報端末１、２、および情報処理装置３、４は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の一態様の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８６】
〔まとめ〕
本発明の態様１に係る情報記録装置は、複数の情報を含むスケジュール情報を記録する情報記録装置（携帯情報端末１）であって、上記スケジュール情報に含まれる複数の情報のうち、１つ以上の情報を必須情報として、記録が完了してから、所定時間経過後、既に記録された上記必須情報の適否をユーザに確認するとともに、上記スケジュール情報に含まれる複数の情報のうち、既に記録された上記必須情報以外の情報の入力を上記ユーザに促す情報確認処理を実行する情報確認部（１２）を備える。
【００８７】
上記の構成によれば、情報記録装置は、スケジュール情報のうち、スケジュール内容、日時の情報を必須情報として、記録が完了してから、上記スケジュールの日時までに、既に記録された上記必須情報の適否をユーザに確認するとともに、上記スケジュール情報のうち、既に記録された上記必須情報以外の情報の入力を上記ユーザに促す。
【００８８】
初期段階において、スケジュール情報のうち、スケジュール内容、日時の情報を必須情報として記録すればよく、全ての情報を記録する必要がないため、全ての情報を記録する場合と比較して、情報の記録に要する時間を短縮することができる。また、後から情報の適否を確認することで、既に記録した情報が誤っていた場合でも、当該情報を修正することができる。したがって、態様１に係る情報記録装置によれば、情報の記録に要する時間を短縮し、かつ誤った情報を登録する虞を低減することが可能な情報記録装置を実現することができる。
【００８９】
本発明の態様２に係る情報記録装置は、上記態様１において、上記ユーザが発する音声を文字情報として認識する音声認識部（１１）をさらに備え、上記音声認識部により認識された文字情報に基づいて上記スケジュール情報を記録することが好ましい。
【００９０】
上記の構成によれば、ユーザは、（ｉ）一時的に記録した情報、（ｉｉ）情報の修正が必要な場合における、修正後の情報、（ｉｉｉ）情報を追加する場合における、追加すべき情報、を音声によって入力することができる。
【００９１】
本発明の態様３に係る情報記録装置は、上記態様１または２において、上記情報確認部が上記情報確認処理を実行する際に、上記ユーザに対して情報の入力を促す音声を出力する音声出力部（スピーカ３０）をさらに備えることが好ましい。
【００９２】
上記の構成によれば、ユーザは、音声出力部から出力された音声に基づいて、情報の適否の確認、修正および追加を行うことができる。
【００９３】
本発明の態様４に係る情報記録装置は、上記態様１から３のいずれかにおいて、情報確認部による上記情報確認処理の実行を開始するか否かを上記ユーザに確認する開始確認部（１３）をさらに備えることが好ましい。
【００９４】
上記の構成によれば、開始確認部は、情報確認処理の実行を開始するか否かをユーザに確認する。したがって、情報記録装置は、周りに人がいるか否か等のユーザの都合などを確認してから情報確認処理を開始することができる。
【００９５】
本発明の態様５に係る情報記録装置は、上記態様１から４のいずれかにおいて、周囲の他者を検出する人物検出部（環境センサ６０）をさらに備え、上記情報確認部は、上記人物検出部が上記他者を検出しなかった場合に上記情報確認処理を実行することが好ましい。
【００９６】
上記の構成によれば、人物検出部が他者を検出しなかった場合、すなわち情報記録装置の周囲に他者が存在しない場合にのみ、情報確認部は情報確認処理を実行する。したがって、情報確認処理によって他者に不快感を与える虞、および他者に情報が漏洩する虞が低減される。
【００９７】
本発明の態様６に係る情報記録方法は、複数の情報を含むスケジュール情報を記録する情報記録方法であって、上記スケジュール情報に含まれる複数の情報のうち、１つ以上の情報を必須情報として記録する記録ステップと、上記記録ステップにおいて上記必須情報の記録が完了してから、所定時間経過後、記録済みの上記必須情報の適否をユーザに確認するとともに、上記スケジュール情報に含まれる複数の情報のうち、記録済みの上記必須情報以外の情報の入力を上記ユーザに促す情報確認ステップを含む。
【００９８】
上記の構成によれば、態様１と同様の効果を奏する。
【００９９】
本発明の各態様に係る情報記録装置は、コンピュータによって実現してもよく、この場合には、コンピュータを上記情報記録装置が備える各部（ソフトウェア要素）として動作させることにより上記情報記録装置をコンピュータにて実現させる情報記録装置の制御プログラム、およびそれを記録したコンピュータ読み取り可能な記録媒体も、本発明の一態様の範疇に入る。
【０１００】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の一態様の技術的範囲に含まれる。さらに、各実施形態にそれぞれ開示された技術的手段を組み合わせることにより、新しい技術的特徴を形成することができる。
【符号の説明】
【０１０１】
１、２  携帯情報端末（情報記録装置）
３、４  情報処理装置（情報記録装置）
１１  音声認識部
１２  情報確認部
１３  開始確認部
３０  スピーカ（音声出力部）
６０  環境センサ（人物検出部）
【図１】
2018081647.tif 000003
【図２】
2018081647.tif 000004
【図３】
2018081647.tif 000005
【図４】
2018081647.tif 000006
【図５】
2018081647.tif 000007
【図６】
2018081647.tif 000008
【図７】
2018081647.tif 000009